(57)【要約】【課題】印刷データをユーザが任意に決めた単位（インデックス単位）に分割し、インデックス単位のそれぞれの印刷データを印刷設定等とともに印刷装置内の記憶部に記憶することを可能とし、インデックス単位に、印刷ページ順の設定等の編集を可能にする。【解決手段】インデックス単位ごとに印刷設定等とともに印刷装置に記憶するインデックス記憶手段と、印刷設定をあらかじめテーブルとして保存している印刷装置側の印刷設定テーブルと、インデックス単位の印刷順などを制御できる印刷順決定手段とを備える。【選択図】　　　　図１
2004042405.tif 000002
【特許請求の範囲】
【請求項１】
印刷データをユーザが任意に決めた単位（以下インデックス単位という）ごとに印刷設定等とともに印刷装置に記憶するインデックス記憶手段と、印刷設定をあらかじめテーブルとして保存している印刷装置側の印刷設定テーブルと、インデックス単位の印刷順などを制御できる印刷順決定手段とを備える印刷装置システム。
【請求項２】
印刷データを独立処理可能なインデックス単位で印刷設定等とともに印刷装置側に記憶させる印刷装置システム。
【発明の詳細な説明】
【０００１】
【発明の属する技術分野】
本発明は、印刷装置とその制御に関し、特にユーザが任意に決めた独立可能な単位で印刷装置に印刷データを保存、管理する方式に関する。
【０００２】
【従来の技術】
従来、印刷データをユーザが任意に決めた単位で印刷設定等とともに印刷装置に記憶しておくことが不可能であった為、以前に印刷した印刷物を繰り返し印刷しようとするときも、逐次、印刷設定を行って、印刷を行わなければならなかった。
【０００３】
【発明が解決しようとする課題】
印刷データをインデックス単位に分割し、インデックス単位のそれぞれの印刷データをそれぞれの印刷設定等とともに印刷装置内の記憶部に記憶することを可能とし、インデックス単位に、印刷ページ順の設定等の編集が可能にする。
【０００４】
【課題を解決するための手段】
（１）印刷データをユーザが任意に決めた単位（以下インデックス単位という）ごとに印刷設定等とともに印刷装置に記憶するインデックス記憶手段と、印刷設定をあらかじめテーブルとして保存している印刷装置側の印刷設定テーブルと、インデックス単位の印刷順などを制御できる印刷順決定手段とを備える印刷装置システム、である。
【０００５】
（２）印刷データを独立処理可能なインデックス単位で印刷設定等とともに印刷装置側に記憶させる印刷装置システム、である。
【０００６】
（作用）
印刷データをユーザが任意に決めた単位（インデックス単位）ごとに印刷設定等とともに印刷装置に記憶するインデックス記憶手段と、印刷設定をあらかじめテーブルとして保存している印刷装置側の印刷設定テーブルと、インデックス単位の印刷順などを制御できる印刷順決定手段とを備え、印刷データをインデックス単位に分割し、インデックス単位のそれぞれの印刷データを印刷設定等とともに印刷装置内の記憶部に記憶することを可能とし、インデックス単位に、印刷ページ順の設定等の編集を可能にすることで、繰り返し印刷データを印刷したいときに、何度も印刷設定を行って印刷する手間を省き、ユーザに利便性を提供する。
【０００７】
【発明の実施の形態】
以下、図面を参照して本発明を詳細に説明する。
【０００８】
図１　は本発明の実施例における印刷装置システムの基本構成図である。図１において、１００は画像を印刷する印刷装置であり、ホストコンピュータ２００は、双方向通信インタフェース３００を介して印刷装置１００に接続されている。
【０００９】
図２は、印刷装置システムの構成図である。図２におけるホストコンピュータ２００は、ホストコンピュータの主な制御を行うＣＰＵ１０と、ホストコンピュータ側入出力制御部２０から成り、印刷装置１００は、印刷装置側入出力制御部５０と、印刷設定をあらかじめ保存している印刷設定テーブル６０と、インデックスデータを印刷装置に記憶しておく記憶部７０とから成る。
【００１０】
図３は、本発明の実施例における印刷装置がインデックス付きデータを記憶する手順を示している。図３のＳ１にておいて、ホストからインデックス付き印刷データを印刷装置に送信する。
【００１１】
図６はインデックス付き印刷データである。図６のａは、インデックスデータ単位に設ける目印であり、この単位ごとに印刷設定を行い、この単位ごとに印刷装置に記憶する。図６のｂは、印刷設定の種類である。印刷設定は、印刷装置側に、図５の印刷設定テーブルが保存されており、その印刷設定番号である。本例では、図６のｂは、“印刷設定１”となっているので、図５のテーブルの印刷設定１の“普通紙　文書”という印刷設定を示す。図５のｃは、実際の印刷データである。図３のＳ２では、印刷装置は、図６のａインデックス番号“ＩＮＤＥＸ１”と、図６のｂ印刷設定番号“印刷設定１”，図６のｃ印刷データを印刷装置の記憶部に記憶する。
【００１２】
同じように、図６の、ＩＮＤＥＸ２は、“印刷設定３“となっているので、図５のテーブルの印刷設定３の“普通紙　ドラフト”という印刷設定を示し、この印刷設定とともに印刷データは、ＩＮＤＥＸ２として印刷装置に記憶される。図６の、ＩＮＤＥＸ３は、“印刷設定４“となっているので、図５のテーブルの印刷設定４の“ＯＨＰ　文書”という印刷設定を示し、この印刷設定とともに印刷データは、ＩＮＤＥＸ３として印刷装置に記憶される。
【００１３】
図４は、インデックス付きのデータを印刷する手順である。Ｓ１０で、印刷装置内の記憶部に記憶されているデータのページ割り当てを行う。図７は、ページ割り当てテーブルであり、印刷を実行するとき、この割り当てをユーザは、印刷装置に指定する。図７のいは、１頁目を示し、図７のろは、“ＩＮＤＥＸ１”すなわち、図６のａ，ｂ，ｃを示す。よって、図７の１頁は、印刷設定１となり、“普通紙　文書”指定で印刷される。図４のＳ１１では，印刷を開始し、Ｓ１２では、図７のページ割り当てテーブルに従って印刷を行う。
【００１４】
図７の１ページ目は、ＩＮＤＥＸ１となっているため、記憶部のＩＮＤＥＸ１を参照し、図６のＩＮＤＥＸ１は印刷設定１が記憶部に記憶されているため、１ページ目は、印刷設定１で印刷を行う。また、同じように、Ｓ１３では、図７の２ページ目は、ＩＮＤＥＸ１となっているため、記憶部のＩＮＤＥＸ１を参照し、図６のＩＮＤＥＸ１は印刷設定１が記憶部に記憶されているため、２ページ目は、印刷設定１で印刷を行う。Ｓ１４では、図７の３ページ目は、ＩＮＤＥＸ２となっているため、記憶部のＩＮＤＥＸ２を参照し、図６のＩＮＤＥＸ２は印刷設定３が記憶部に記憶されているため、３ページ目は、印刷設定１で印刷を行う。Ｓ１５では、図７の４ページ目は、ＩＮＤＥＸ３となっているため、記憶部のＩＮＤＥＸ３を参照し、図６のＩＮＤＥＸ３は印刷設定４が記憶部に記憶されているため、４ページ目は、印刷設定４で印刷を行う。
【００１５】
図８は、図６のインデックスデータを印刷装置に記憶したあと、図７のページ割り当てで印刷を行った印刷結果である。図８のかは、１ページ目で、ＩＮＤＥＸ１の印刷データを印刷設定１“普通紙、文書”で印刷し、図８のきは、２ページ目で、ＩＮＤＥＸ１の印刷データを印刷設定１“普通紙、文書”で印刷し、図８のくは、３ページ目で、ＩＮＤＥＸ２の印刷データを印刷設定３“普通紙、ドラフト”で印刷し、図８のけは、４ページ目で、ＩＮＤＥＸ３の印刷データを印刷設定４“ＯＨＰ、ドラフト”で印刷するという結果となる。
【００１６】
【発明の効果】
印刷データをインデックス単位に分割し、インデックス単位のそれぞれの印刷データを印刷設定等とともに印刷装置内の記憶部に記憶することを可能とし、インデックス単位に、印刷ページ順の設定等の編集を可能にすることで、繰り返しインデックスの印刷データを印刷したいときに、何度も印刷設定を行って印刷する手間を省き、ユーザに利便性を提供する。
【図面の簡単な説明】
【図１】実施例における印刷装置システムの基本構成図
【図２】実施例における印刷装置システムの構成図
【図３】実施例におけるインデックス付きデータを印刷装置に記憶する手順
【図４】実施例におけるインデックスデータを編集して印刷する手順
【図５】実施例における印刷設定テーブル
【図６】実施例におけるインデックス付きデータ
【図７】実施例におけるページ割り当てテーブル
【図８】実施例における印刷結果
【符号の説明】
１００　印刷装置
２００　ホストコンピュータ
３００　インタフェース
【図１】
2004042405.tif 000003
【図２】
2004042405.tif 000004
【図３】
2004042405.tif 000005
【図４】
2004042405.tif 000006
【図５】
2004042405.tif 000007
【図６】
2004042405.tif 000008
【図７】
2004042405.tif 000009
【図８】
2004042405.tif 000010